(57)【要約】  【目的】  設置作業を容易に行うことのできる簡易構造の防護柵を提供する。  【構成】  所定の間隔に立てられる支柱１と、その各支柱の間に架設される横架材２と、横架材を連結するためのジョイント３と、ジョイントを支柱に結合するための固定手段４とを有して成る防護柵である。ジョイント３は、横架材２の端部を挟んで筒状に組み合わされる一対の半筒体３１，３２から成る。又、固定手段４は、所定の隙間をあけて対向される横架材２，２の端面間を通じて一対の半筒体３１，３２と支柱１とを貫通するボルト４１、及び該ボルトの先端に締結するナット４２で構成される。そして、横架材２，２の端部を挟んで一対の半筒体３１，３２を筒状に組み合わせ、その半筒体３１，３２と支柱１とにボルト４１を貫通せしめ、その先端にナット４２を強力に締め付けると、支柱１、横架材２、及びジョイントが強固に一体化する。【選択図】  図３
2005048507.tif 000002
【特許請求の範囲】
【請求項１】
所定の間隔に立てられる支柱と、その各支柱の間に架設される横架材とを具備して成る防護柵において、前記横架材を連結するためのジョイントと、このジョイントを前記支柱に結合するための固定手段とを有し、前記ジョイントは横架材の端部を挟んで筒状に組み合わされる一対の半筒体から成り、その両半筒体が前記固定手段による支柱との結合力により前記横架材の端部外周面に締め付くことを特徴とする防護柵。
【請求項２】
横架材の両端部が胴回りの細いホゾ部とされ、そのホゾ部が筒状に組み合われる一対の半筒体内に嵌め込まれることにより、前記横架材の長さ方向への移動が規制されることを特徴とする請求項１記載の防護柵。
【請求項３】
固定手段が所定の隙間をあけて対向される二つの横架材の端面間を通じて一対の半筒体と支柱とを貫通するボルトと、該ボルトの先端に締結するナットとで構成されることを特徴とする請求項１、又は２記載の防護柵。
【請求項４】
一対の半筒体から成るジョイントがボルトを中心として支柱に角度調整可能に取り付けられることを特徴とする請求項３記載の防護柵。
【発明の詳細な説明】
【技術分野】
【０００１】
本発明は、危険個所への飛び出しや転落事故などを防止するために車道、歩道、橋梁、又は公園その他の施設などに設置される防護柵に関する。
【背景技術】
【０００２】
一般に、道路脇や公園の周囲などには安全対策として防護柵が設置される。係る防護柵は所定の間隔に立てられる支柱と、その各支柱の間に架設される横架材とから構成され、簡易な防護柵では木製の支柱に横架材として木板を釘止めする構成とされる。しかし、その種の防護柵は、木板の端部同士を重ね合わせて釘止めするので見栄えが悪い上に所要の強度も得られない。
【０００３】
そこで、コンクリート製の支柱に半円状の上受け体と下受け体とを形成し、その上に円柱形をした木材製の緩衝材(横架材)を載せ、その緩衝材に設けられる通し孔から支柱に埋設されるナットに固定ボルトを締結することにより、支柱に緩衝材を固定することのできる防護柵が提案されている(例えば、特許文献１)。
【０００４】
【特許文献１】特許第２９５８２５４号公報。
【発明の開示】
【発明が解決しようとする課題】
【０００５】
然し乍ら、特許文献１に開示される防護柵は支柱がコンクリート製であるから設置作業が容易でなく、しかも支柱には半円状の上受け体や下受け体を形成したり、ナットを埋設したりするために複雑な成形型を必要としてコスト高になるという欠点がある。
【０００６】
又、円柱形の緩衝材をボルト／ナットで支柱に直結する構造であるから、上受け体や下受け体を形成する支柱には緩衝材を良好に支持するに足る十分な幅が必要となり、このため支柱の重量が増して設置作業に支障を来すばかりでなく、緩衝材が半円状の上受け体や下受け体により支持される構造であるから緩衝材を施工面に沿って平行に架設することが容易でない。
【０００７】
尚、特許文献１の防護柵は、緩衝材同士の連結部を覆う半円筒状の押えカバーを備えるが、これは緩衝材を支柱に固定する固定ボルトの腐食防止と、外観の向上を図るためのものにすぎない。
【０００８】
本発明は以上のような事情に鑑みて成されたものであり、その目的は簡易構造にして美観を損なわず、しかも設置作業を容易に行うことのできる低コストの防護柵を提供することにある。
【課題を解決するための手段】
【０００９】
本発明は上記目的を達成するため、所定の間隔に立てられる支柱と、その各支柱の間に架設される横架材とを具備して成る防護柵において、前記横架材を連結するためのジョイントと、このジョイントを前記支柱に結合するための固定手段とを有し、前記ジョイントは横架材の端部を挟んで筒状に組み合わされる一対の半筒体から成り、その両半筒体が前記固定手段による支柱との結合力により前記横架材の端部外周面に締め付くことを特徴とする。
【００１０】
又、上記の防護柵において、横架材の両端部が胴回りの細いホゾ部とされ、そのホゾ部が筒状に組み合われる一対の半筒体内に嵌め込まれることにより、前記横架材の長さ方向への移動が規制されることを特徴とする。
【００１１】
更に、固定手段が所定の隙間をあけて対向される二つの横架材の端面間を通じて一対の半筒体と支柱とを貫通するボルトと、該ボルトの先端に締結するナットとで構成され、しかも一対の半筒体から成るジョイントが前記ボルトを中心として支柱に角度調整可能に取り付けられることを特徴とする。
【発明の効果】
【００１２】
本発明の防護柵によれば、横架材を連結するためのジョイントが固定手段により支柱に結合されることから支柱の材質や形状を問わず、低コストで簡易構造の防護柵にして設置作業を容易に行え、しかもジョイントが筒状に組み合わされる一対の半筒体から構成され、その両半筒体が固定手段による支柱との結合力により横架材の端部外周面に締め付くことから、支柱に対するジョイントの結合作業と横架材の連結作業を並行して行うことができる。又、横架材の連結部分が一対の半筒体により被覆されることから、美観を損なわない。
【００１３】
加えて、請求項２の発明では横架材の端部の抜け落ちを防止できる上、一対の半筒体が横架材の外周面より突出するのを防止して安全性を向上できる。
【００１４】
更に、請求項３の発明ではボルト／ナットを締め付けるだけで支柱、横架材、及びジョイントを強固に一体化することができ、しかも請求項４の発明では傾斜地などにおいても支柱を立てた後から横架材を地面に対して平行に架設することができる。
【発明を実施するための最良の形態】
【００１５】
以下、本発明を図面に基づいて詳しく説明すれば、図１は係る防護柵の設置状態を示した正面概略図である。図１において、１は木材や金属パイプから成る支柱であり、この支柱１は下端を地中に埋設して所定の間隔に立てられる。２はその各支柱１の間に並列状に架設される横架材であり、それら横架材２はジョイント３を介して順次直列状に連結される。ジョイント３は支柱１の位置にあって該支柱に固定手段４で結合され、これにより支柱１と横架材２がジョイント３を介して一体化される構成としてある。
【００１６】
図２は係る防護柵の斜視分解図である。この図で明らかなように、固定手段はボルト４１とナット４２で構成され、支柱１にはボルト４１を通す貫通孔１Ａが形成される。又、支柱１と横架材２は円柱形とされ、横架材２の両端部は胴回りの細い（直径、全周の長さが中間部分よりも小さい）ホゾ部２Ａとされる。尚、係るホゾ部２Ａは、横架材２を回転させながらその両端部外周を両端面から所定の長さ範囲に亙って切削したり、或いは横架材２の端部回りに刃物を回転させるなどして容易に形成することができる。一方、ジョイント３は半円筒形をした一対の半筒体３１，３２から成り、その両半筒体３１，３２が一端面同士を対向させた横架材のホゾ部２Ａ，２Ａを覆うよう円筒状に組み合うようになっている。
【００１７】
図３で明らかなように、一対の半筒体３１，３２の頂部中央には、それぞれ円筒状に組み合わせたときに対向する透孔３１Ａ，３２Ａが穿設される。特に、一方の半筒体３１に穿設される透孔３１Ａは非円形（本例において矩形）とされ、他方の半筒体３２には透孔３２Ａを挟んで左右一対の小孔３２Ｂ，３２Ｂが穿設される。
【００１８】
次に、図４は横架材の連結部分を示した平面図であり、図５には図４のＡ−Ａ線における部分断面を示す。図５から明らかなように、ボルト４１は一方の半筒体の透孔３１Ａから他方の半筒体の透孔３２Ａに通され、更に支柱１に形成した貫通孔１Ａに通される。そして、一対の半筒体３１，３２と支柱１とを貫通したボルト４１の先端には、ナット４２が締結される。特に、ボルト４１は角根ボルトであり、そのヘッド側には透孔３１Ａに嵌合する非円形のネック部４１Ａが形成される。このため、ボルト４１を回転させずにナット４２を強力に締め付けることができる。
【００１９】
尚、支柱１にはナット４２の突出を防止するように貫通孔１Ａの一端を拡大した大径孔１Ｂが形成されるが、これを省略してナット４２が支柱１の外周面上に突出するようにしてもよい。又、一対の半筒体３１，３２は上記のように横架材２の端部（ホゾ部２Ａ）の回りで円筒状に組み合わされるが、ホゾ部２Ａはその胴回りが一対の半筒体３１，３２の両側縁を接触させない程度の大きさに設定され、ホゾ部２Ａを挟んで一対の半筒体３１，３２を円筒状に組み合わせたときには半筒体３１，３２の相互間に微小な間隙ｔ（数ミリ程度）が形成される。
【００２０】
そして、ボルト４１及びナット４２で支柱１と一対の半筒体３１，３２を結合するとき、その結合力により一対の半筒体３１，３２がホゾ部２Ａの外周面に締め付くようにしてある。つまり、ボルト４１の先端にナット４２を強力に締め付けると、一対の半筒体３１，３２が間隙ｔを狭めるように寄り合ってホゾ部２Ａの外周面に強固に圧着する。このため、支柱１とジョイント３の結合と同時に、一対の半筒体３１，３２でホゾ部２Ａを締め付けて横架材２，２を強固に連結しながら支柱１、横架材２、及びジョイント３を一体化することができる。
【００２１】
次に、図６は図５のＢ−Ｂ線における部分断面を示す。この図で明らかなように、ジョイント（一対の半筒体３１，３２）は、ホゾ部２Ａの長さＬの２倍よりも大きな長さを有しており、円筒状に組み合わされた一対の半筒体３１，３２の両側にホゾ部２Ａ，２Ａが嵌め込まれた状態において、二つの横架材２，２の端面間にボルト４１を通し得る隙間Ｓが形成されるようにしてある。又、支柱１側に配される半筒体３２は、小孔３２Ｂからホゾ部２Ａにねじ込まれるネジ５（木ネジ）により二つの横架材２，２に固定される。
【００２２】
ここで、以上のような防護柵の設置例を説明すれば、先ず歩道などに沿って支柱１を順次所定の間隔に立て、次いで円筒状に組み合わせた一対の半筒体３１，３２を端に位置する支柱１にボルト４１及びナット４２で仮止めする。その後、その半筒体３１，３２内に横架材２の一端ホゾ部２Ａを差し込む一方、逆側のホゾ部２Ａの回りで別の半筒体３１，３２を円筒状に組み合わせ、一方の透孔３１Ａから他方の透孔３２Ａを通じて支柱１の貫通孔１Ａにボルト４１を通し、その先端にナット４２を締結する。
【００２３】
しかして、支柱１に仮止めした一対の半筒体３１，３２内に対するホゾ部２Ａの差し込みと、逆側のホゾ部２Ａの外周で円筒状に組み合わせた一対の半筒体３１，３２を支柱１に仮止めする作業を繰り返して複数の横架材２を架設した後、全てのナット４２を強力に締め付ける。すると、隣り合う横架材のホゾ部２Ａ，２Ａが一対の半筒体３１，３２により締め付けられると同時に、一対の半筒体３１，３２も支柱１に強固に結合される。これにより、支柱１、横架材２、及びジョイント３の全てが強力に一体化され、しかも一対の半筒体３１，３２の両端がホゾ部２Ａの段差部分に突き合わされるために横架材２の長さ方向への移動が規制され、ホゾ部２Ａの抜け落ちが完全に防止される。
【００２４】
このような防護柵によれば、二つの横架材２，２が一対の半筒体３１，３２により連結されると共に、一対の半筒体３１，３２がボルト４１及びナット４２で支柱１に結合されることから、支柱１には二つの横架材２，２の端部外周面を宛てがうための幅を必要とせず、しかも一対の半筒体３１，３２がボルト４１を中心にして支柱１に角度調整可能に取り付けられることから、防護柵の設置場所が図７のような斜面でも横架材２を斜面と平行にして架設することができる。
【００２５】
尚、係る防護柵において、支柱１、横架材２、及びジョイント３は種々の材料にて形成することができる。又、支柱１と横架材２は円柱形であることに限らず、それらを角柱として一対の半筒体３１，３２が角筒状に組み合わされる構成としてもよい。
【実施例１】
【００２６】
支柱１と横架材２を木材とし、ジョイント３を金属製とする。特に、支柱１と横架材２には防虫、防腐処理を施した杉などの丸太を用い、ジョイント３はステンレスなどの耐食部材により形成する。
【実施例２】
【００２７】
図８のように、半筒体３１の内側中央部に隔壁３１Ｂを形成し、その隔壁３１Ｂにボルト４１を溶接などで固定する。これによれば、図３などに示される透孔３１Ａを省略してナット４２の締付時におけるボルト４１の回転を防止することができる。
【実施例３】
【００２８】
図９のようにホゾ部２Ａをテーパ状にすると共に、ジョイント３の一端を斜めにカットする。これによれば、横架材２を直列状でなく、設置場所の形態などに応じて直角ないしは鈍角状態に連結することができる。尚、ジョイント３の一端を斜めにカットせず、ホゾ部２Ａの先端のみをジョイント３内に差し込むようにしたり、或いはホゾ部２Ａの付け根部分を斜めにカットするなどしてもよい。又、ホゾ部２Ａをテーパ状にすることに代えてジョイント３をＶ字形など屈曲管状に組み合わされる半筒体で構成してもよい。
【図面の簡単な説明】
【００２９】
【図１】本発明に係る防護柵の設置状態を示した正面概略図
【図２】同防護柵の斜視分解図
【図３】ジョイントを構成する一対の半筒体を示した平面図
【図４】横架材の連結部分を示した平面図
【図５】図４のＡ−Ａ線における部分断面図
【図６】図５のＢ−Ｂ線における部分断面図
【図７】本発明に係る防護柵を斜面に設置した状態を示す正面概略図
【図８】半筒体の変形例を示した斜視図
【図９】横架材の他の連結形態を示した部分断面図
【符号の説明】
【００３０】
１  支柱
１Ａ  貫通孔
２  横架材
２Ａ  ホゾ部
３  ジョイント
３１，３２  一対の半筒体
３１Ａ，３２Ａ  透孔
４  固定手段
４１  ボルト
４２  ナット
【図１】
2005048507.tif 000003
【図２】
2005048507.tif 000004
【図３】
2005048507.tif 000005
【図４】
2005048507.tif 000006
【図５】
2005048507.tif 000007
【図６】
2005048507.tif 000008
【図７】
2005048507.tif 000009
【図８】
2005048507.tif 000010
【図９】
2005048507.tif 000011